(57)【要約】【課題】  木造作りには木組みと言う技術がありながら、接合部分を接着剤や金具などで固定される物が多い。  木だけで接着剤や金具を使わず、簡単に木組みだけで安定した製品が作れないかが課題であった。【手段】  本発明は、（仮称）｛相欠き接ぎ噛み込み口付き−ａ｝、（仮称）｛相欠き接ぎ噛み込み口付き−ｂ｝、（仮称）｛井桁接ぎ角だし｝や（仮称）｛井桁接ぎ組み込み部固めキャップ｝とした木組みの方法のみで、製作も分解も簡単な机・テーブル・ベット・椅子など製品の構築方法に関するものである。【選択図】図２
2016193585.tif 000002
【特許請求の範囲】
【請求項１】
脚の上部を井桁接ぎの為に切りこんだ脚を４本作り（５）、（仮称）｛相欠き接ぎ噛み込み口付きーａ｝を２枚（３）と（仮称）｛相欠き接ぎ噛み込み口付きーｂ｝２枚（４）を作り、相欠け接ぎ（７）に組み込んだ下部に脚の太さに僅かに大きい噛み込み口を設け（８）、目的の大きさの天板（１）を準備し、天板の４ケ所に（仮称）井｛桁接ぎ角だし｝部分を受け入れる各４穴のホゾ（２）を設け、（３）と（４）を組み、井桁状にし、４ヶ所の交差点に脚（５）を噛み込み口（８）奥まで入れ、飛び出した角だし部（６）を天板に掘られたホゾ穴に差し込むと製品は完成する。
【請求項２】
（仮称）｛井桁接ぎ接続部分固めキャップ｝は、井桁接ぎを完成させた後、井桁部分のホゾ穴部と、相欠き接ぎの脚から出た部分の背を上からさらに噛みこませる部分を一体化し作り、上から帽子を被せるように噛み込ませる［請求項１］とは別の個別の部材である。
【請求項３】
［請求項１］の構築の途中の段階で完成するものや、この方法での接着材や金具を使うものも特許に含める。
【発明の詳細な説明】
【技術分野】
【０００１】  本発明は、木を組んで使って作られる物の机・テーブル・ベット・作業台・椅子などの製作に関するものである。
【背景技術】
【０００２】  従来、木造作りには木組みと言う技術がありながら、机・テーブル・ベット・作業台・椅子などの接続部分に金具や接着剤など使って固定される物が多い。
木のみで作られるものは少ない。
【先行技術文献】
【特許文献】
【０００３】
【特許文献１】特開２００６−１２２０９７号公報
【本文献】
【０００４】
【本文献１】
図解  木工の継ぎ手と仕口  鳥海義之介著、理工学社、１９８０
【発明の概要】
【発明を解決しようとする課題】
【０００５】  木造作りには木組みと言う日本古来の方法がありながら、テーブル・ベット・作業台・椅子などの接続部分に金具や接着剤など使って固める物（特許文献１）が多くなっている。本当に木組みだけで作るものは少ない。
本発明は、以上の問題点を解決するために発明されたものである。
【発明を解決するための手段】
【０００６】この特許での木組みの状態を説明し易くするため、三つの点で仮称の名前を付け現した。
一つは、（仮称）｛相欠き接ぎ噛み込み口付−ａ｝（３）、（仮称）｛相欠き接ぎ噛み込み口付−ｂ｝（４）、二つ目は（仮称）｛井桁接ぎ４本角だし｝（５）、三つ目は、（仮称）｛井桁接ぎ接続部分固めキャップ｝（９）である。
【０００７】木組みの一つに、井桁接ぎと言う木組みが存在する（本文献１）。
この木組みは、井桁に掘り込まれた部分だけに相欠き接ぎにして差し込む為、相欠き接ぎの部分は棒の太さを約半分にすることで交差させて井桁の中に組み込む。その為、井桁の４本を外側の約半分で、継ぎ手部分をしっかり押さえ固める素晴らしい木組みと成っている。ただ、（本文献１）の接ぎ手では、（仮称）｛相欠き接ぎ噛み込み口付きーａ｝（３）と（仮称）｛相欠き接ぎ噛み込み口付−ｂ｝（４）の噛み込み口が無く、（仮称）｛井桁接ぎ４本角だし｝（５）にも成っていない。
【０００８】本発明は、（本文献１）の方法と同じ井桁を使った接ぎであるが、脚の上端から（仮称）｛相欠き接ぎ噛み込み口付きーａ｝（３）と（仮称）｛相欠き接ぎ噛み込み口付−ｂ｝（４）の背幅と同じ大きさの溝を十字に掘り込み、相欠き接ぎ部分を組み込む点が異なる。その為、相欠き接ぎで井桁に差し込まれているだけで、本文献１のように外から締め付けるようにはなっていない。
その為、揺れ防止や上からと荷重に対するもう一つの対策が必要であった。
対策として、板の身幅の広いところを縦部材として使って、相欠き接ぎでの長さによる抵抗部分を増やし、（仮称）｛相欠き接ぎ噛み込み口付きーａ｝（３）と（仮称）｛相欠き接ぎ噛み込み口付−ｂ｝（４）部分の噛み込み口を作り出すことでさらに揺れ抵抗部分を増やし、身幅が長い板部分を縦に使うことで重い上からの荷重にも対応させた構成となっている。
【０００９】  部材は４本脚をモデルとする説明である。
４種類の部材
１、上部を井桁接ぎに切り込まれた（仮称）｛井桁接ぎ４本角だし｝（５）の脚
４本
２、（仮称）｛相欠き接ぎ噛み込み口付きーａ｝（３）と（仮称）｛相欠き接ぎ噛み込    み口付き−ｂ｝（４）の井桁状に組み込むための相対する部材
２種類×２枚    合計    ４枚
３、天板の裏面から４箇所に４本角だしを受け入れるホゾ穴（２）のある天板（１）
天板の構成は１枚または１枚分を分割した数枚
４種類部材を組み込むことで簡単に部材の製作・組み立て・分解できる机・テーブル・ベット・作業台・椅子などが作れる。
なお、４本脚は基本形であり、目的や基礎部分の強度によって６本・８本脚などが考えられる。
【００１０】（仮称）｛井桁接ぎ接続部分固めキャップ｝（９）の説明である。
（仮称）｛井桁接ぎ接続部分固めキャップ｝（９）は、銘木の天板などにキズを付けないで（仮称）｛井桁接ぎ接続部分固めキャップ｝（９）の上にただ置くだけやこの部品の周りで天板やスノコなどを組み入れる時などにも使う。
ホゾに差し込むだけの揺れ抵抗より、さらに揺れ抵抗が必要な時にも使える。
（仮称）｛井桁接ぎ接続部分固めキャップ｝（９）は、（仮称）｛相欠き接ぎ噛み込み口付きーａ｝（３）と（仮称）｛相欠き接ぎ噛み込み口付−ｂ｝（４）で相欠き接ぎの組まれた十字の背を噛ませる為に、脚の太さより数センチ大きく、ホゾ穴も十分に掘れる厚さの板を使う。
この板を相欠き接ぎの背幅より僅かに広い十字の溝を（３）と（４）の背に十分に噛ませる深さまで掘り、同時にホゾ穴部分も掘り込み一枚の板で一体化させる。
出来上がった（仮称）｛井桁接ぎ接続部分固めキャップ｝（９）を（仮称）｛井桁接ぎ４本角だし｝と（５）相欠き接ぎに組まれた背を噛み込む位置まで落とし込み帽子を被るように使う部品である。
【発明の効果】
【００１１】  この特許は、同じ方法で机・テーブル・ベット・作業台・椅子など多岐の製品が作れる。
【００１２】  この特許の部材の作成は単純な物で構成されている為、大量生産も可能である。輸送時も分解してできるので体積を少なくできる。又、組み立てや分解が簡単なので、小さく軽い携帯用製品も作れる。
【００１３】  基本の４種類の部材を分解しても、それぞれの部材の形態は同じなので、再組み立てにどの部材でも気にすることもなく使える。
【００１４】  手や木槌で簡単に組み立て、分解ができるので、使わない時は部屋の隅に置くことや引越しなどの移動も容易である。
【００１５】  脚の長さを２種類持てば、机になったり座卓になったり、天板１枚で多用途に使える。
【００１６】  （仮称）｛相欠き接ぎ噛み込み口付き｝の噛み込み口の考えは、柱を通り抜ける貫に柱の外側から噛ませる口を設け、柱ごとに口を設ければ揺れ抵抗を増やすことができる。
【図面の簡単な説明】
【００１７】
【図１】全部材の斜視図
【図２】組み立て完成斜視図
【図３】（仮称）｛相欠き接ぎ噛み込み口付き｝の組み込み斜視図
【図４】井桁接ぎ部の役割分担斜視図
【図５】（仮称）｛井桁接ぎ接続部分固めキャップ｝斜視図  点線は掘り込む透視状態を示す
【図６】井桁接ぎ組み込み状態の斜視図
【発明の実施するための形態】
【００１８】  本発明は従来の問題点を解決のため、木組みの方法を使い、接着剤・金具部材の製作・組み立て・分解も簡単な、机・テーブル・ベット・作業台などの構築方法を提供することを目的として完成されたものである。
【発明を解決するための手段】
【００１９】  実際に製作した組み合わせベットで説明する。
製作の基本形は１基であるが、２基を使いシングルベット、４基を使いダブベットして使用している。
１基の部材寸法
長さ×  幅×  厚さ（単位ｃｍ）    数
天板                          ９０×９０×１．５              １枚
相欠き接ぎ噛み込み口付き−ａ  ９０×８．５×２                ２枚
相欠き接ぎ噛み込み口付き−ｂ  ９０×８．５×２                ２枚
井桁接ぎ脚                    ４５×６    ×６                ４本
【００２０】  部材の作成（１基分）
１、天板は９０ｃｍ×９０ｃｍ×１．５ｃｍ          １枚を準備する。
２、（仮称）相欠き接ぎ噛み込み口付き−ａ｝（３）と（仮称）相欠き接ぎ噛み込み口    付き−ｂ｝（４）の部材寸法は同じ寸法である。相欠き接ぎ噛み込み口の中心は端か    ら１２ｃｍのところに設ける。
３、井桁接ぎ角だし脚（５）は全長４５ｃｍ、上端から９ｃｍの所まで井桁に切り込む    、切り込み幅は相欠き接ぎの背幅である２ｃｍ。
４、角だし部分（６）と噛み込み部分（８）の長さは１ｃｍとした。
５、（仮称）｛井桁接ぎ接続部分固めキャップ｝はこの方法では使わなかった。
【００２１】  製品の組み立て順序
１、最初に、４本の相欠き接ぎを噛み込み口部分（８）を上にし、組み込む。四角形の    井桁状枠が組み上がる。
２、次に４箇所の噛み込み口に井桁接ぎ角だし部分（８）を差し込む。脚の底面が上に    なる。
３、４脚を差し込んだらひっくり返す。
４、まだ、噛み込みが行なわれていないので、脚に噛み込み部が入る部分まで手押し入    れ、入らない時は木槌で少し叩く。
５、押し入れると４本の角だし部分が相欠き接ぎ部分の上に出てくる。
６、天板の４箇所に彫られた四つの穴にそれぞれの角だし部分に押し入れる。
７、天板を上にするためにひっくり返すと製品は完成する。
【００２２】  分解は［００２１］の順番を逆にすれば簡単にできる。
【符号の説明】
【００２３】  １、天板
２、角だし部の天板での受けホゾ穴
３、（仮称）相欠き接ぎ噛み込み口付き−ａ
４、（仮称）相欠き接ぎ噛み込み口付き−ｂ
５、（仮称）井桁接ぎ角だしの脚
６、角だし部分
７、相欠き接ぎ部分
８、噛み込み口部分
９、（仮称）井桁接ぎ接続部分固めキャップ
１０、３の相欠き接ぎ部の噛み込み口
１１、４の相欠き接ぎ部の噛み込み口
【図１】
2016193585.tif 000003
【図２】
2016193585.tif 000004
【図３】
2016193585.tif 000005
【図４】
2016193585.tif 000006
【図５】
2016193585.tif 000007
【図６】
2016193585.tif 000008